(57)【要約】【課題】口座残高の記憶が曖昧な遊技客が決済要求を行う場合に、この遊技客による決済要求時の操作入力に係る労力を軽減しつつ、第三者に個人情報が漏洩するリスクを効率良く軽減することを課題とする。【解決手段】デビット端末１４０が情報処理センタ１９０にデビット決済要求を行い、デビットカード発行銀行２１０によって残高不足を理由にデビット決済要求が棄却された場合に、デビット端末１４０が、決済要求額を所定額分減算した新たな決済請求額で再決済要求を行う。【選択図】        図２
2006350966.tif 000002
【特許請求の範囲】
【請求項１】
遊技客による決済依頼を受け付けた際に、所定の金融機関のセンタに対して前記決済依頼に対応する決済要求を行なう決済端末装置であって、
前記遊技客が保有する前記金融機関により発行された記録媒体の識別情報及び該記録媒体に対応付けられた暗証番号並びに決済要求額を含む決済依頼を受け付ける決済依頼受付手段と、
前記決済依頼受付手段により決済依頼を受け付けた際に、前記決済依頼に対応する決済要求を行なう決済要求手段と、
前記決済要求手段による決済要求が棄却された場合に、前記決済要求額を所定額減算した新たな決済要求額による再決済要求を自動的に行う再決済要求手段と
を備えたことを特徴とする決済端末装置。
【請求項２】
前記再決済要求手段は、当該再決済要求手段による再決済要求が棄却された場合に、前記決済要求額を更に所定額減算した新たな決済要求額による再決済要求を自動的に行うことを特徴とする請求項１に記載の決済端末装置。
【請求項３】
前記再決済要求手段は、前記決済要求額を所定額減算した新たな決済要求額が所定の下限額未満である場合には、前記再決済要求を行わないことを特徴とする請求項２に記載の決済端末装置。
【請求項４】
前記記録媒体の識別情報ごとに下げ幅及び下限値をそれぞれ記憶した再決済要求テーブルをさらに備え、前記再決済要求手段は、前記決済要求手段による決済要求又は当該再決済要求手段による再決済要求が棄却された場合に、前記決済要求又は前記再決済要求に含まれる記録媒体の識別情報に対応する下げ幅及び下限値を前記再決済要求テーブルから取り出し、該取り出した下げ幅を当該決済要求又は再決済要求に含まれる決済要求額から減算した額を新たな決済要求額とし、この新たな決済要求額が前記下限値以上である場合に、新たな決済要求額による再決済要求を自動的に行うことを特徴とする請求項１、２又は３に記載の決済端末装置。
【請求項５】
遊技店に配設された決済端末装置から決済要求を受け付け、該受け付けた決済要求の決済処理を行う情報処理センタのサーバ装置であって、
金融機関により発行された記録媒体の識別情報、該記録媒体に対応付けられた暗証番号並びに決済要求額を含む決済要求を前記決済端末装置から受け付ける決済要求受付手段と、
前記決済要求受付手段により決済要求を受け付けた場合に、前記決済要求に含まれる記録媒体の識別情報を付与した金融機関のサーバ装置に対して決済要求を行う決済要求手段と、
前記金融機関のサーバ装置から口座残高不足を理由とした決済要求の棄却通知を受信した場合に、当該サーバ装置に対して前記決済要求額を所定額減算した新たな決済要求額による再決済要求を自動的に行う再決済要求手段と
を備えたことを特徴とする情報処理センタのサーバ装置。
【請求項６】
前記再決済要求手段は、当該再決済要求手段による再決済要求が棄却された場合に、前記決済要求額を更に所定額減算した新たな決済要求額による再決済要求を前記金融機関のサーバ装置に対して自動的に行うことを特徴とする請求項５に記載の情報処理センタのサーバ装置。
【請求項７】
遊技客による決済依頼を受け付けた際に、所定の金融機関のセンタに対して前記決済依頼に対応する決済要求を行なう決済制御方法であって、
前記遊技客が保有する前記金融機関により発行された記録媒体の識別情報及び該記録媒体に対応付けられた暗証番号並びに決済要求額を含む決済依頼を受け付ける決済依頼受付工程と、
前記決済依頼受付工程により決済依頼を受け付けた際に、前記決済依頼に対応する決済要求を行なう決済要求工程と、
前記決済要求工程による決済要求が棄却された場合に、前記決済要求額を所定額減算した新たな決済要求額による再決済要求を自動的に行う再決済要求工程と
を含んだことを特徴とする決済制御方法。
【請求項８】
前記再決済要求工程は、当該再決済要求手段による再決済要求が棄却された場合に、前記決済要求額を更に所定額減算した新たな決済要求額による再決済要求を自動的に行うことを特徴とする請求項７に記載の決済制御方法。
【発明の詳細な説明】
【技術分野】
【０００１】
本発明は、遊技客による決済依頼を受け付けた際に、所定の金融機関のセンタに対して前記決済依頼に対応する決済要求を行なう決済端末装置、情報処理センタのサーバ装置及び決済制御方法に関し、特に、口座残高の記憶が曖昧な遊技客が決済要求を行う場合に、この遊技客による決済要求時の操作入力に係る労力を軽減しつつ、第三者に個人情報が漏洩するリスクを効率良く軽減することができる決済端末装置、情報処理センタのサーバ装置及び決済制御方法に関する。
【背景技術】
【０００２】
従来、パチンコ店等の遊技店では、現金若しくは現金で購入したプリペイドカードによってパチンコ玉等の遊技媒体を借り受け、借り受けた遊技媒体を用いてパチンコ機等の遊技機で遊技を行うのが一般的であった。このため、遊技客が所持する現金がなくなった場合には、該遊技客が銀行に赴いて現金を取得する必要があり遊技を一時中断する必要がある。かかる遊技の一時中断をなくすため、最近ではデビットシステム等の決済システムを用いてこの現金不足による遊技中断を解消する技術が注目されている。
【０００３】
例えば、特許文献１には、決済処理端末を用いて情報処理センタにデビット決済要求を行い、デビット決済完了後に媒体発行機から決済額に応じたプリペイドカード等の媒体を発行するよう構成した遊技システムが開示されている。この特許文献１を用いると、遊技客の手持ちの現金がなくなったとしてもデビットカード（キャッシュカード）を用いてプリペイドカード等を購入できるので、遊技客が銀行に赴かなくとも遊技を継続することができる。
【０００４】
【特許文献１】特開２００１−３５３３３９号公報
【発明の開示】
【発明が解決しようとする課題】
【０００５】
しかしながら、この特許文献１に代表されるデビット決済システムには、自らの口座残高を確認するための口座残高確認機能がないので、遊技客自身が口座残高を記憶していない場合には、とりあえず決済要求額（購入希望カード金額）を決めてデビット決済を行い、このデビット決済が容認されるか棄却されるかを試すほかない。
【０００６】
例えば、遊技客が自らの口座残高を記憶していないために、とりあえず１万円のプリペイドカードを購入するデビット決済要求（決済要求金額＝１万円）を行い、このデビット決済要求が口座残高不足を理由に棄却された場合には、あらためて遊技客がデビットカード挿入して暗証番号及び新たな決済要求額（例えば５０００円）を入力してデビット決済要求を行うことになる。この場合にもデビット決済要求が棄却された場合には、さらに決済要求額を下げて同様の処理を行うこととなる。
【０００７】
このように、遊技客に繰り返しデビット決済要求を行わせた場合には、デビット決済要求に係る手間が増えるだけではなく、第三者に暗証番号を盗み見されるリスクが増えるという問題がある。このため、口座残高の記憶が曖昧な遊技客がデビット決済要求を行う場合に、この遊技客によるデビット決済要求時の操作入力に係る労力をいかに軽減するか、第三者に暗証番号等の個人情報が漏洩するリスクをいかに軽減するかが重要な課題となっている。
【０００８】
この発明は、上記課題（問題点）に鑑みてなされたものであり、口座残高の記憶が曖昧な遊技客が決済要求を行う場合に、この遊技客による決済要求時の操作入力に係る労力を軽減しつつ、第三者に個人情報が漏洩するリスクを効率良く軽減することができる決済端末装置、情報処理センタ装置及び決済制御方法を提供することを目的とする。
【課題を解決するための手段】
【０００９】
上述した課題を解決するため、本発明は、遊技客による決済依頼を受け付けた際に、所定の金融機関のセンタに対して前記決済依頼に対応する決済要求を行なう決済端末装置であって、前記遊技客が保有する前記金融機関により発行された記録媒体の識別情報及び該記録媒体に対応付けられた暗証番号並びに決済要求額を含む決済依頼を受け付ける決済依頼受付手段と、前記決済依頼受付手段により決済依頼を受け付けた際に、前記決済依頼に対応する決済要求を行なう決済要求手段と、前記決済要求手段による決済要求が棄却された場合に、前記決済要求額を所定額減算した新たな決済要求額による再決済要求を自動的に行う再決済要求手段とを備えたことを特徴とする。
【００１０】
また、本発明は、上記発明において、前記再決済要求手段は、当該再決済要求手段による再決済要求が棄却された場合に、前記決済要求額を更に所定額減算した新たな決済要求額による再決済要求を自動的に行うことを特徴とする。
【００１１】
また、本発明は、上記発明において、前記再決済要求手段は、前記決済要求額を所定額減算した新たな決済要求額が所定の下限額未満である場合には、前記再決済要求を行わないことを特徴とする。
【００１２】
また、本発明は、上記発明において、前記記録媒体の識別情報ごとに下げ幅及び下限値をそれぞれ記憶した再決済要求テーブルをさらに備え、前記再決済要求手段は、前記決済要求手段による決済要求又は当該再決済要求手段による再決済要求が棄却された場合に、前記決済要求又は前記再決済要求に含まれる記録媒体の識別情報に対応する下げ幅及び下限値を前記再決済要求テーブルから取り出し、該取り出した下げ幅を当該決済要求又は再決済要求に含まれる決済要求額から減算した額を新たな決済要求額とし、この新たな決済要求額が前記下限値以上である場合に、新たな決済要求額による再決済要求を自動的に行うことを特徴とする。
【００１３】
また、本発明は、遊技店に配設された決済端末装置から決済要求を受け付け、該受け付けた決済要求の決済処理を行う情報処理センタのサーバ装置であって、金融機関により発行された記録媒体の識別情報、該記録媒体に対応付けられた暗証番号並びに決済要求額を含む決済要求を前記決済端末装置から受け付ける決済要求受付手段と、前記決済要求受付手段により決済要求を受け付けた場合に、前記決済要求に含まれる記録媒体の識別情報を付与した金融機関のサーバ装置に対して決済要求を行う決済要求手段と、前記金融機関のサーバ装置から口座残高不足を理由とした決済要求の棄却通知を受信した場合に、当該サーバ装置に対して前記決済要求額を所定額減算した新たな決済要求額による再決済要求を自動的に行う再決済要求手段とを備えたことを特徴とする。
【００１４】
また、本発明は、上記発明において、前記再決済要求手段は、当該再決済要求手段による再決済要求が棄却された場合に、前記決済要求額を更に所定額減算した新たな決済要求額による再決済要求を前記金融機関のサーバ装置に対して自動的に行うことを特徴とする。
【００１５】
また、本発明は、遊技客による決済依頼を受け付けた際に、所定の金融機関のセンタに対して前記決済依頼に対応する決済要求を行なう決済制御方法であって、前記遊技客が保有する前記金融機関により発行された記録媒体の識別情報及び該記録媒体に対応付けられた暗証番号並びに決済要求額を含む決済依頼を受け付ける決済依頼受付工程と、前記決済依頼受付工程により決済依頼を受け付けた際に、前記決済依頼に対応する決済要求を行なう決済要求工程と、前記決済要求工程による決済要求が棄却された場合に、前記決済要求額を所定額減算した新たな決済要求額による再決済要求を自動的に行う再決済要求工程とを含んだことを特徴とする。
【００１６】
また、本発明は、上記発明において、前記再決済要求工程は、当該再決済要求手段による再決済要求が棄却された場合に、前記決済要求額を更に所定額減算した新たな決済要求額による再決済要求を自動的に行うことを特徴とする。
【発明の効果】
【００１７】
本発明によれば、遊技客が保有する金融機関により発行された記録媒体の識別情報及び該記録媒体に対応付けられた暗証番号並びに決済要求額を含む決済依頼を受け付けた際に、この決済依頼に対応する決済要求を行なうとともに、この決済要求が棄却された場合に、決済要求額を所定額減算した新たな決済要求額による再決済要求を自動的に行うよう構成したので、遊技客によってなされた決済要求が口座残高不足により棄却された場合であっても、決済端末装置が決済要求額を減額して自動的に再決済要求を行うことができ、もって遊技客による決済要求時の操作入力に係る労力を軽減しつつ、第三者に個人情報が漏洩するリスクを効率良く軽減することができる。
【００１８】
また、本発明によれば、当該再決済要求が棄却された場合に、決済要求額を更に所定額減算した新たな決済要求額による再決済要求を自動的に行うよう構成したので、再決済要求が口座残高不足により棄却された場合に、繰り返し決済要求額を減額しつつ再決済要求を行うことができる。
【００１９】
また、本発明によれば、決済要求額を所定額減算した新たな決済要求額が所定の下限額未満である場合には、再決済要求を行わないよう構成したので、遊技客にとって価値が低いと思われる低額な決済要求を行わないようにし、もって遊技客のニーズに合わせた決済要求を行うことができる。
【００２０】
また、本発明によれば、記録媒体の識別情報ごとに下げ幅及び下限値をそれぞれ記憶した再決済要求テーブルを設けておき、決済要求又は再決済要求が棄却された場合に、この決済要求又は再決済要求に含まれる記録媒体の識別情報に対応する下げ幅及び下限値を再決済要求テーブルから取り出し、該取り出した下げ幅を当該決済要求又は再決済要求に含まれる決済要求額から減算した額を新たな決済要求額とし、この新たな決済要求額が下限値以上である場合に、新たな決済要求額による再決済要求を自動的に行うよう構成したので、遊技客ごとに下げ幅及び下限値を設定し、もって各遊技客のニーズにカスタマイズした決済要求を行うことができる。
【００２１】
また、本発明によれば、金融機関により発行された記録媒体の識別情報、該記録媒体に対応付けられた暗証番号並びに決済要求額を含む決済要求を決済端末装置から受け付けた場合に、この決済要求に含まれる記録媒体の識別情報を付与した金融機関のサーバ装置に対して決済要求を行なうとともに、金融機関のサーバ装置から口座残高不足を理由とした決済要求の棄却通知を受信した場合に、当該サーバ装置に対して決済要求額を所定額減算した新たな決済要求額による再決済要求を自動的に行うよう構成したので、情報処理センタのサーバ装置が決済端末装置から一旦決済要求を受け付けると、情報処理センタにおいて再決済要求を行うことができ、もって情報処理センタのサーバ装置〜決済端末装置間の不要な通信を低減することができる。
【発明を実施するための最良の形態】
【００２２】
以下に添付図面を参照して、本発明に係る決済端末装置、情報処理センタ装置及び決済制御方法の好適な実施例を詳細に説明する。なお、ここでは決済システムの一例としてデビット決済システムを用いることとする。
【実施例】
【００２３】
まず、本実施例に係るデビット決済システムの全体構成について説明する。図１は、本実施例に係るデビット決済システムの全体構成を示す図である。同図に示すように、このデビット決済システムは、パチンコ店に配設されるデビット端末１４０が公衆回線網１８０を介して情報処理センタ１９０に接続され、この情報処理センタ１９０がクリアリングセンタ２０１を内在するＣＡＦＩＳ（Credit and Finance Information System）ネットワーク２００を介してデビットカード発行銀行２１０及び加盟店銀行２２０に接続されるシステム構成となる。
【００２４】
このパチンコ店内には、各パチンコ機１００にカード処理機１１０を併設するとともに、このカード処理機１１０並びにカード発行機１３０が島コントローラ１２０を介してターミナルコントローラ（Ｔ／Ｃ）１５０に接続されている。そして、上記デビット端末１４０はこのカード発行機１３０に接続されている。
【００２５】
パチンコ機１００は、パチンコ玉を遊技領域に発射して遊技客が遊技を行う遊技機であり、カード処理機１１０は、このパチンコ機１００に併設され、度数が価値付けられたプリペイドカード又は会員カードを所定のカード挿入口に挿入して遊技媒体であるパチンコ玉を貸し出す処理機である。
【００２６】
島コントローラ１２０は、各島に配設されたパチンコ機１００及びカード処理機１１０、カード発行機１３０並びにデビット端末１４０等を管理する装置であり、各装置とＴ／Ｃ１５０との間のデータ中継を行う。
【００２７】
カード発行機１３０は、有価価値である度数が価値付けられたプリペイドカードを発行する装置であり、遊技客がこのカード発行機１３０に現金（紙幣）を投入してカード選択操作を行うことによりプリペイドカードを購入することができる。また、デビット端末１４０によるデビット決済によりプリペイドカードを購入することもできる。
【００２８】
デビット端末１４０は、後述するようにカード発行機１３０と設され、通信可能に接続されており、銀行カード（デビットカード）、該デビットカードに対応付けられた暗証番号及び決済要求額を受け付けた場合には、この決済要求額のデビット決済要求を公衆回線網１８０を介して情報処理センタ１９０に対して行う端末装置である。
【００２９】
ここで、このデビット端末１４０は、従来のデビット端末とは異なり、口座残高不足で決済要求が棄却された場合に、決済要求額を所定額分減額して情報処理センタ１９０に対して再決済要求する点にその特徴がある。従来のデビット端末では、口座残高不足で決済要求が棄却された場合に、遊技客自らがデビットカードの挿入、暗証番号の入力、決済要求額の入力（金額選択ボタンの押下）を行う必要があったので、遊技客が口座残高をうろ覚えであったような場合に、繰り返し決済要求を行う手間を要していた。また、暗証番号を繰り返し入力しなければならないので、かかる暗証番号を入力する際に第三者によって盗み見される可能性が高くなるという問題もあった。そこで、本発明に係るデビット端末１４０では、決済要求が棄却された場合に、決済要求額を所定額分減額して情報処理センタ１９０に対して再決済要求するよう構成している。
【００３０】
Ｔ／Ｃ１５０は、パチンコ店に少なくとも１台設置してあり、プリペイドカードや会員カードのデータ管理、パチンコ店の統括管理、売上管理等を行う管理装置である。すなわち、プリペイドカードにはカードＩＤが記憶されており、このカードＩＤに対応する度数は、このＴ／Ｃ１５０で管理されているのである。なお、このＴ／Ｃ１５０は、公衆回線網１６０を介してカード会社センタ１７０に接続されており、定期的にプリペイドカードに係るデータがカード会社センタ１７０に送信される。第三者管理を適正に行うためである。
【００３１】
情報処理センタ１９０は、デビット端末１４０からのデビット決済要求を受け付ける窓口であり、かかるデビット決済要求を受け付けたならば、ＣＡＦＩＳネットワーク２００を介して遊技客（利用者）の銀行口座が設けられているデビットカード発行銀行２１０に対して残高問い合わせを行い、決済要求額以上の口座残高がある場合には決済処理を行う。この決済処理に応答して、デビットカード発行銀行２１０の遊技客の銀行口座から加盟店銀行２２０の情報処理センタ１９０の口座に決済要求額が引き落とされる。その後、所定の手数料を差し引いた金額が、この加盟店銀行２２０の情報処理センタ１９０の口座から△△銀行２３０のパチンコ店の口座にまとめて決済額が振り込まれる。
【００３２】
図２は、図１に示したデビット端末１４０及びカード発行機１３０、情報処理センタ１９０並びにデビットカード発行銀行２１０の間の処理手順を示すシーケンス図である。
【００３３】
同図に示すように、まず利用者がデビット端末１４０にデビットカードを挿入して暗証番号を入力するとともに、カード発行機１３０上でのプリペイドカード種別の選択して決済要求額（例えば１万円）を入力する（ステップＳ１０１）。
【００３４】
すると、カード発行機１３０を介して情報処理センタ１９０に１万円＋手数料分のデビット決済要求が行われ（ステップＳ１０２）、情報処理センタ１９０がデビットカード発行銀行２１０に１万円＋手数料分のデビット決済要求を行う（ステップＳ１０３）。
【００３５】
このデビット決済要求を受け付けたデビットカード発行銀行２１０は、デビット決済要求に含まれるカードＩＤの口座に決済要求額（１万円）＋手数料以上の口座残高があるか否かを調べ（ステップＳ１０４）、その結果を情報処理センタ１９０に返送し（ステップＳ１０５）、この結果を受信した情報処理センタ１９０は、デビット端末１４０に対してその結果を通知する（ステップＳ１０６）。ここでは、口座残高が８０００円しかなく、口座残高不足によりデビット決済要求が棄却される場合（ＮＧ）を図示している。
【００３６】
口座残高不足によりデビット決済要求が棄却されたデビット端末１４０は、決済要求額を所定額減算した新たな決済請求額（例えば５千円）のデビット決済要求（５千円＋手数料）を情報処理センタ１９０に対して自動再請求し（ステップＳ１０７〜Ｓ１０８）、情報処理センタ１９０がデビットカード発行銀行２１０に５千円＋手数料分のデビット決済要求を行う（ステップＳ１０９）。
【００３７】
このデビット決済要求を受け付けたデビットカード発行銀行２１０は、デビット決済要求に含まれるカードＩＤの口座に決済要求額（５千円）＋手数料以上の口座残高があるか否かを調べ（ステップＳ１１０）、その結果を情報処理センタ１９０に返送し（ステップＳ１１１）、この結果を受信した情報処理センタ１９０は、デビット端末１４０に対してその結果を通知する（ステップＳ１１２）。ここでは、口座に決済要求額（５千円）＋手数料以上の口座残高がありデビット決済要求が容認される場合（ＯＫ）を図示している。その結果、デビット端末１４０は、決済額（５千円）のプリペイドカードをカード発行機１３０に発行するよう指示し、カード発行機１３０から５千円分の度数が価値付けられたプリペイドカードが発行される（ステップＳ１１３）。
【００３８】
上記一連の処理を行うことにより、当初のデビット決済要求が口座残高不足により棄却された場合であっても、遊技客が新たに暗証番号や決済要求額を入力しなくとも、所定額を減額した再請求を行うことができるため、遊技客の操作入力に係る手間をなくすとともに、暗証番号入力を第三者に盗み見されるリスクを低減することができる。
【００３９】
次に、図１に示したデビット端末１４０及びカード発行機１３０の外観構成について説明する。図３は、図１に示したデビット端末１４０及びカード発行機１３０の外観構成を示す正面図である。
【００４０】
同図に示すように、このデビット端末１４０の前面には、表示部１４１、テンキー１４２、デビットカード挿入口１４３及びレシート発行口１４４が設けられ、カード発行機１３０の前面には、表示部１３１、金額選択ボタン１３２、カード発行口１３３及び紙幣挿入／排出口１３４が設けられている。
【００４１】
ここで、この正面図を用いてデビット端末１４０の操作概要を説明すると、まず遊技客は、デビットカード挿入口３４５にデビットカードを挿入するとともにテンキー３２０を用いて暗証番号を入力する。また、遊技客がカード発行機１３０の金額選択ボタン１３２を押下すると、押下した金額が決済要求額としてデビット端末１４０に通知される。上記一連の操作が行われると、デビット端末１４０は情報処理センタ１９０に対してデビット決済要求を行う。
【００４２】
そして、情報処理センタ１９０によりデビット決済要求が容認されると、表示部１４１上に決済完了等が表示され、カード発行機１３０のカード発行口１３３から決済額に対応する額のプリペイドカードが排出されるとともに、レシート発行口１４４からレシートが発行され、デビットカード挿入口１４３からデビットカードが返却される。
【００４３】
これに対して、情報処理センタ１９０によりデビット決済要求が棄却されると、決済要求額から所定額減算した額を新たな決済要求額とした再決済要求が情報処理センタ１９０に対して行われる。そして、情報処理センタ１９０によりこの再決済要求が容認されると、表示部１４１上に決済完了等が表示され、カード発行機１３０のカード発行口１３３から決済額に対応する額のプリペイドカードが排出されるとともに、レシート発行口１４４からレシートが発行され、デビットカード挿入口１４３からデビットカードが返却される。
【００４４】
なお、情報処理センタ１９０により再決済要求が棄却されると、決済要求額から所定額減算した額を新たな決済要求額とした再決済要求が再度情報処理センタ１９０に対して行われる。なお、所定の下限値を下回る場合には、再決済要求を行わずに残高不足の旨が表示部１４１に表示される。
【００４５】
図４は、図１に示したデビット端末１４０の内部構成を示す機能ブロック図である。同図に示すように、このデビット端末１４０は、表示部１４１、テンキー１４２、通信インターフェース部（通信Ｉ／Ｆ部）１４０ａ及び１４０ｂ、カードリーダ１４０ｃ、印字部１４０ｄ、再要求テーブル１４０ｅ、デビットカード処理部１４０ｆ及び制御部１４０ｇを有する。
【００４６】
表示部１４１は、液晶パネル等で形成される表示デバイスであり、この表示部１４１にはデビット決済要求した結果（容認又は棄却）等が表示される。テンキー３２０は、遊技客がデビット決済取引を行う際に必要になる情報すなわち暗証番号等の入力を行うための入力デバイスである。
【００４７】
通信Ｉ／Ｆ部１４０ａは、公衆回線網１８０を介して情報処理センタ１９０とデータ通信するためのインターフェース部であり、通信Ｉ／Ｆ部１４０ｂは、カード発行機１３０並びに該カード発行機１３０を介してＴ／Ｃ１５０と通信を行うためのインターフェース部である。
【００４８】
カードリーダ１４０ｃは、デビットカード挿入口１４３に挿入されたデビットカードからカードＩＤを読み取って制御部１４０ｇに出力する処理部であり、印字部１４０ｄは、デビット決済取引終了後のデビット明細をレシートとして印字するための小型プリンタである。この印字部１４０ｄで印字されたレシートは、レシート発行口１４４から排出される。
【００４９】
再要求テーブル１４０ｅは、デビット決済要求若しくは再決済要求が棄却された場合にデビットカード処理部１４０ｆにより参照されるテーブルであり、図５に示すように、デビットカードのカードＩＤごとに下限値及び下げ幅を記憶している。ここでは、カードＩＤ「1234567」の下限値が「1000円」、下げ幅が「1000円」であり、カードＩＤ「1111111」の下限値が「5000円」、下げ幅が「5000円」であり、カードＩＤ「2222222」の下限値が「3000円」、下げ幅が「1000円」である場合を示している。このように、カードＩＤ毎に下げ幅及び下限値を記憶することとした理由は、遊技客のニーズに応じた再決済要求を行うためである。この再要求テーブル１４０ｅの内容は遊技客の希望に応じて登録されるが、未登録の遊技客に対しては、例えば下限値が「3000円」、下げ幅が「1000円」のデフォルト値を適用することができる。
【００５０】
デビットカード処理部１４０ｆは、遊技客からデビット決済依頼を受け付けた際に、情報処理センタ１９０に対してこのデビット決済依頼に対応するデビット決済要求を行う処理部であり、具体的には、カードＩＤ、暗証番号及び決済要求額（選択された金額選択ボタン１３２の額＋手数料）を情報処理センタ１９０に送信してデビット決済要求を行う。例えば、カードＩＤ「1234567」を所有する遊技客から「１万円」のデビット決済依頼を受けた場合には、このデビットカード処理部１４０ｆは、情報処理センタ１９０に対して「１万円＋手数料」分のデビット決済要求を行う。
【００５１】
また、このデビットカード処理部１４０ｆは、情報処理センタ１９０からデビット決済要求を棄却する旨の通知を受けた場合に、再要求テーブル１４０ｅを参照しつつ決済要求額を減算し、下限値を下回っていないことを条件に、情報処理センタ１９０に対して再決済要求を行う。例えば、カードＩＤ「1234567」の口座残高が「3000円」であった場合には、上記デビット決済要求は口座残高不足を理由として棄却されるため、デビットカード処理部１４０ｆは、「１万円−1000円＝9000円＋手数料」を決済要求額とする再決済要求を情報処理センタ１９０に対して行うことになる。この場合も決済要求は口座残高不足を理由として棄却されるため、さらに減算を繰り返しながら再決済要求を行うことになる。最終的には、2000円＋手数料のデビット決済要求が容認されるため、カード発行口１３３から2000円のプリペイドカードを排出することとなる。
【００５２】
制御部１４０ｇは、デビット端末１４０の全体制御を行う制御部であり、具体的には、公衆回線網１８０を介して情報処理センタ１９０との間のデータ授受を行う処理、Ｔ／Ｃ１５０との通信を行う処理等を行う。
【００５３】
次に、図４に示したデビット端末１４０の処理手順について説明する。図６は、図４に示したデビット端末１４０の処理手順を示すフローチャートである。同図に示すように、このデビット端末１４０は、デビットカード挿入口１４３に挿入されたデビットカードを受け付け（ステップＳ１０１）、カードリーダ１４０ｃがこのデビットカードからカードＩＤを読み取る。
【００５４】
また、テンキー１４２を使って遊技客により入力された暗証番号を受け付けるとともに（ステップＳ２０２）、カード発行機１３０から決済要求額を受け付ける（ステップＳ２０３）。なお、カード発行機１３０は、遊技客により押下された金額選択ボタン１３２に対応する額を決済要求額としてデビット端末１４０に通知する。
【００５５】
その後、このデビット端末１４０は、情報処理センタ１９０に対してデビット決済要求を行い（ステップＳ２０４）、デビット決済要求が容認された場合には（ステップＳ２０５否定）、決済額に対応するプリペイドカードを発行するようカード発行機１３０に指示するとともに（ステップＳ２０６）、表示部１４１上に決済完了を表示して（ステップＳ２０７）、デビットカードを返却するとともに（ステップＳ２１１）、レシートを発行する（ステップＳ２１２）。
【００５６】
これに対して、デビット決済要求が棄却（ＮＧ）された場合には（ステップＳ２０５肯定）、再要求テーブル１４０ｅを参照してカードＩＤに対応する下げ幅及び下限値を取り出して下げ幅分だけ決済要求額を減算し（ステップＳ２０８）、この決済要求額が下限値以上である場合には（ステップＳ２０９否定）、ステップＳ２０４に移行して情報処理センタ１９０に対して再決済要求を行う。
【００５７】
一方、この決済要求額が下限値を下回ってしまった場合には（ステップＳ２０９肯定）、表示部１４１に残高不足による決済棄却を表示した後（ステップＳ２１０）、デビットカードを返却するとともに（ステップＳ２１１）、レシートを発行する（ステップＳ２１２）。
【００５８】
上述してきたように、本実施例では、デビット端末１４０が情報処理センタ１９０にデビット決済要求を行い、デビットカード発行銀行２１０によって残高不足を理由にデビット決済要求が棄却された場合に、デビット端末１４０が、決済要求額を所定額分減算した新たな決済請求額で再決済要求を行うよう構成したので、遊技客によってなされた決済要求が口座残高不足により棄却された場合であっても、決済端末装置が決済要求額を減額して自動的に再決済要求を行うことができ、もって遊技客による決済要求時の操作入力に係る労力を軽減しつつ、第三者に個人情報が漏洩するリスクを効率良く軽減することができる。
【００５９】
上記実施例では、再決済要求を行う際に、決済要求額から一定金額（予め設定された「下げ幅」）ずつ減額する方式がとられているが、カード発行機１３０において設定されたカード発行額に応じて減額するようにしても良い。例えば、図３の場合には、「10000円」→「5000円」→「3000円」→「2000円」→「1000円」とすることになる。
【００６０】
（他の実施例）
ところで、上記実施例では、デビットカード発行銀行２１０によって口座残高チェックにより残高不足を理由にデビット決済要求が棄却された場合に、デビット端末１４０が決済要求額を所定額分減算して再決済要求を行うこととしたが、本発明はこれに限定されるものではなく、情報処理センタ１９０において決済要求額を所定額分減算して再決済要求を行うよう構成することもできる。
【００６１】
図７は、情報処理センタ１９０において決済要求額を所定額分減算して再決済要求を行う場合のシーケンス図である。同図に示すように、まず利用者がデビット端末１４０にデビットカードを挿入して暗証番号を入力するとともに、カード発行機１３０上でのプリペイドカード種別の選択して決済要求額（例えば１万円）を入力する（ステップＳ３０１）。
【００６２】
すると、カード発行機１３０を介して情報処理センタ１９０に１万円＋手数料分のデビット決済要求が行われ（ステップＳ３０２）、情報処理センタ１９０がデビットカード発行銀行２１０に１万円＋手数料分のデビット決済要求を行う（ステップＳ３０３）。
【００６３】
このデビット決済要求を受け付けたデビットカード発行銀行２１０は、デビット決済要求に含まれるカードＩＤの口座に決済要求額（１万円）＋手数料以上の口座残高があるか否かを調べ（ステップＳ３０４）、その結果を情報処理センタ１９０に返送する（ステップＳ３０５）。ここでは、口座残高不足によりデビット決済要求が棄却される場合（ＮＧ）を図示している。
【００６４】
この結果を受信した情報処理センタ１９０は、口座残高不足によりデビット決済要求が棄却された場合に、決済要求額を所定額減算した新たな決済請求額（例えば５千円）のデビット決済要求（５千円＋手数料）をデビットカード発行銀行２１０に行う（ステップＳ３０６〜Ｓ３０７）。
【００６５】
このデビット決済要求を受け付けたデビットカード発行銀行２１０は、デビット決済要求に含まれるカードＩＤの口座に決済要求額（５千円）＋手数料以上の口座残高があるか否かを調べ（ステップＳ３０８）、その結果を情報処理センタ１９０に返送し（ステップＳ３０９）、この結果を受信した情報処理センタ１９０は、デビット端末１４０に対してその結果を通知する（ステップＳ３１０）。ここでは、口座に決済要求額（５千円）＋手数料以上の口座残高がありデビット決済要求が容認される場合（ＯＫ）を図示している。その結果、デビット端末１４０は、決済額（５千円）のプリペイドカードをカード発行機１３０に発行するよう指示し、カード発行機１３０から５千円分の度数が価値付けられたプリペイドカードが発行される（ステップＳ３１１）。
【００６６】
上記一連の処理を行うことにより、デビット端末１４０ではなく情報処理センタ１９０において再決済要求を行うことができるので、デビット端末１４０〜情報処理センタ１９０間のデータ通信を低減することができる。
【００６７】
なお、本実施例では、本発明をデビット決済システムを用いた場合を示したが、本発明はこれに限定されるものではなく、他の決済システムを用いた場合に適用することもできる。
【産業上の利用可能性】
【００６８】
本発明にかかる決済端末装置、情報処理センタ装置及び決済制御方法は、口座残高の記憶が曖昧な遊技客が決済要求を行う場合に、この遊技客による決済要求時の操作入力に係る労力を軽減しつつ、第三者に個人情報が漏洩するリスクを効率良く軽減する場合に有用である。
【図面の簡単な説明】
【００６９】
【図１】本実施例に係るデビット決済システムの全体構成を示す図である。
【図２】図１に示したデビット端末及びカード発行機、情報処理センタ並びにデビットカード発行銀行の間の処理手順を示すシーケンス図である。
【図３】図１に示したデビット端末及びカード発行機の外観構成を示す正面図である。
【図４】図１に示したデビット端末の内部構成を示す機能ブロック図である。
【図５】図４に示した再要求テーブルの一例を示す図である。
【図６】図４に示したデビット端末の処理手順を示すフローチャートである。
【図７】情報処理センタにおいて決済要求額を所定額分減算して再決済要求を行う場合のシーケンス図である。
【符号の説明】
【００７０】
１００  パチンコ機
１１０  カード処理機
１２０  島コントローラ
１３０  カード発行機
１３１  表示部
１３２  金額選択ボタン
１３３  カード発行口
１３４  紙幣挿入／排出口
１４０  デビット端末
１４０ａ，１４０ｂ  通信インターフェース部（通信Ｉ／Ｆ部）
１４０ｃ  カードリーダ
１４０ｄ  印字部
１４０ｅ  再要求テーブル
１４０ｆ  デビットカード処理部
１４０ｇ  制御部
１４１  表示部
１４２  テンキー
１４３  デビットカード挿入口
１４４  レシート発行口
１５０  ターミナルコントローラ（Ｔ／Ｃ）
１６０，１８０  公衆回線網
１７０  カード会社センタ
１９０  情報処理センタ
２００  ＣＡＦＩＳネットワーク
２０１  クリアリングセンタ
２１０  デビットカード発行銀行（遊技客の口座が設けられている銀行）
２２０  加盟店銀行（情報処理センタの口座が設けられている銀行）
２３０  △△銀行（パチンコ店の口座が設けられている銀行）
【図１】
2006350966.tif 000003
【図２】
2006350966.tif 000004
【図３】
2006350966.tif 000005
【図４】
2006350966.tif 000006
【図５】
2006350966.tif 000007
【図６】
2006350966.tif 000008
【図７】
2006350966.tif 000009